(57)【要約】【課題】床スラブを支持する小梁と大梁との接合部を適切に保護し、当該接合部の損傷を抑制する。【解決手段】架構構造１は、床スラブ４を支持する小梁５と、ウェブ５ｃにおいて小梁５の端部５ｘを支持する大梁７と、小梁５の上側のフランジ５ａと大梁７の上側のフランジ７ａとを連結すると共に、小梁５の長手方向Ｄに対して斜めに配置された斜材１４と、を備える。これによれば、床スラブ４から小梁５に作用する水平荷重により、小梁５の上側のフランジ７ａが回転力を受ける場合であっても、当該回転力は主に斜材１４により大梁７に伝達されることとなる。これにより、当該回転力が小梁５と大梁７との接合部１０に与える負荷を抑制することができる。特に、斜材１４は、小梁５の長手方向に対して斜めに配置されているため、小梁５と大梁７との接合部１０における水平方向の剛性を高めることが可能となる。【選択図】図１
2015059394.tif 000002
【特許請求の範囲】
【請求項１】
床スラブを支持する小梁と、
側部において前記小梁の端部を支持する大梁と、
前記小梁の上端部と前記大梁の上端部とを連結すると共に、前記小梁の長手方向に対して斜めに配置された斜材と、
を備えることを特徴とする架構構造。
【請求項２】
前記小梁及び前記大梁は、それぞれが上下一対のフランジをウェブで連結してなる断面Ｈ形状であり、
前記側部は、前記大梁のウェブであり、
前記小梁の上端部は、前記小梁の上側のフランジであり、
前記大梁の上端部は、前記大梁の上側のフランジであり、
前記斜材は、前記小梁の上側のフランジの裏面と、前記大梁の上側のフランジの裏面とを連結する薄板状に形成されていることを特徴とする請求項１に記載の架構構造。
【請求項３】
前記小梁は、前記大梁よりも梁せいを小さく形成され、その上端部が前記大梁の上端部よりも下方に位置した状態で前記大梁に取り付けられ、
前記斜材の前記小梁側の端部には、下方に向けて突出形成されて前記小梁の上端部に当接する当接部が形成されていることを特徴とする請求項１又は２に記載の架構構造。
【請求項４】
前記当接部は、前記小梁の上端部に向けて延在する立上り部と、前記立上り部の下端部から水平状に形成されて前記小梁の上端部に当接する座部と、前記斜材の端部、立上り部、及び座部を互いに連結する壁部と、を備え、
前記座部は、前記小梁の上端部に締結されていることを特徴とする請求項３に記載の架構構造。
【請求項５】
前記小梁が支持する前記床スラブの上端面は、前記大梁が支持する床スラブの上端面よりも下方に位置していることを特徴とする請求項１〜４の何れか一項に記載の架構構造。
【発明の詳細な説明】
【技術分野】
【０００１】
本発明は、住宅等の建物の架構構造に関し、特に建物の躯体から張り出されるベランダ等の床スラブを支持する小梁と、躯体に含まれる大梁との接合部の架構構造に関する。
【背景技術】
【０００２】
従来、梁柱からなる躯体を備えた建物では、建物の躯体から張り出してベランダ等の外部床が設けられることがある。このようなベランダ等は、Ｈ型鋼からなる大梁のウェブに、外部床の床スラブを支持する小梁を取り付けて構成する工法が知られている。この種の取付けでは、小梁に水平方向の回転力が作用すると、当該回転力によって、小梁と大梁との接合部が降伏してしまうという問題がある。
【０００３】
かかる問題を解決すべく、小梁と大梁との接合部に水平方向の回転力が作用する場合において、当該回転力を支持するための架構構造として、例えば特許文献１に記載されているものが知られている。特許文献１に記載された架構構造では、小梁の下側のフランジの端部下面と、大梁の下側のフランジの端部下面とが板状のプレートで連結されている。
【先行技術文献】
【特許文献】
【０００４】
【特許文献１】特開平６−１２３１３３号公報
【発明の概要】
【発明が解決しようとする課題】
【０００５】
しかしながら、上記特許文献１に記載の架構構造では、小梁と大梁との接合部を補強する板状のプレートが、小梁の下側のフランジと大梁の下側のフランジとを接合しているため、小梁の上端部に作用する回転力に有効に対抗できる構造とはなっていない。特に、ベランダ等の床スラブを直接支持する小梁では、床スラブから小梁に作用する水平荷重により、小梁の上端部が回転力を受けやすいため影響が大きく、小梁と大梁との接合部を適切に保護する構造とはなっていない。
【０００６】
そこで、本発明は、上記課題を解決するためになされたものであり、床スラブを支持する小梁と大梁との接合部を適切に保護し、当該接合部の損傷を抑制できる架構構造を提供することを課題とする。
【課題を解決するための手段】
【０００７】
上記課題を解決するため、本発明に係る架構構造は、床スラブを支持する小梁と、側部において小梁の端部を支持する大梁と、小梁の上端部と大梁の上端部とを連結すると共に、小梁の長手方向に対して斜めに配置された斜材と、を備えることを特徴とする。
【０００８】
本発明の架構構造では、床スラブから小梁に作用する水平荷重により、小梁の上端部が回転力を受ける場合であっても、当該回転力は主に斜材により大梁に伝達されることとなる。これにより、当該回転力が小梁と大梁との接合部に与える負荷を抑制することができる。特に、斜材は、小梁の長手方向に対して斜めに配置されているため、小梁と大梁との間でいわゆる火打ち状にされている。これにより、小梁と大梁との接合部における水平方向の剛性を高めることが可能となる。以上より、床スラブを支持する小梁と大梁との接合部を適切に保護し、当該接合部の損傷を抑制できる。
【０００９】
また、小梁及び大梁は、それぞれが上下一対のフランジをウェブで連結してなる断面Ｈ形状であり、側部は、大梁のウェブであり、小梁の上端部は、小梁の上側のフランジであり、大梁の上端部は、大梁の上側のフランジであり、斜材は、小梁の上側のフランジの裏面と、大梁の上側のフランジの裏面とを連結する薄板状に形成されていてもよい。この場合、斜材は、小梁及び大梁のそれぞれの上側のフランジの裏面同士を連結しているので、小梁及び大梁のそれぞれの上側のフランジの表面は、平坦なまま維持されている。よって、斜材の存在にかかわらず、当該表面に他の部材等をそのまま載置することができる。
【００１０】
また、小梁は、大梁よりも梁せいを小さく形成され、その上端部が大梁の上端部よりも下方に位置した状態で大梁に取り付けられ、斜材の小梁側の端部には、下方に向けて突出形成されて小梁の上端部に当接する当接部が形成されていてもよい。これによれば、小梁の梁せいが大梁よりも小さく、同じ梁せいのときに比して小梁と大梁との接合部の剛性が小さくなる場合であっても、小梁及び大梁の上端部間が斜材で連結されることにより、当該接合部における水平方向の剛性を高めることができる。
【００１１】
また、当接部は、小梁の上端部に向けて延在する立上り部と、立上り部の下端部から水平状に形成されて小梁の上端部に当接する座部と、斜材の端部、立上り部、及び座部を互いに連結する壁部と、を備え、座部は、小梁の上端部に締結されていてもよい。これによれば、壁部により斜材の端部、立上がり部及び座部が互いに連結されることになるので、当接部の剛性を向上させることができる。
【００１２】
また、小梁が支持する床スラブの上端面は、大梁が支持する床スラブの上端面よりも下方に位置していてもよい。小梁が支持する床スラブから小梁に作用する水平荷重と、大梁が支持する床スラブから大梁に作用する水平荷重とは、小梁の上端部と大梁の上端部とを連結する斜材を介して互いに伝達される。これにより、小梁と大梁とのそれぞれに作用する水平荷重が、小梁と大梁との接合部に過度に伝達されることを抑制することができる。
【発明の効果】
【００１３】
本発明によれば、水床スラブを支持する小梁と大梁との接合部を適切に保護し、当該接合部の損傷を抑制できる架構構造を提供することができる。
【図面の簡単な説明】
【００１４】
【図１】第１実施形態に係る架構構造の概略平面図である。
【図２】図１のＩＩ−ＩＩ線に沿った概略断面図である。
【図３】小梁及び大梁の上端部に斜材があることによる作用効果について説明する図である。
【図４】斜材が小梁の長手方向に対して斜めに位置していることによる作用効果について説明する図である。
【図５】小梁と大梁とに作用する水平荷重の相対的なずれに対する作用効果について説明する図である。
【図６】第２実施形態に係る架構構造の概略平面図である。
【図７】図６のＶＩＩ−ＶＩＩ線に沿った概略断面図である。
【図８】第２実施形態に係る斜材の斜視図である。
【図９】第３実施形態に係る架構構造の概略平面図である。
【図１０】図９のＸ−Ｘ線に沿った概略断面図である。
【発明を実施するための形態】
【００１５】
［第１実施形態］
まず、図１及び図２を参照して、本発明の第１実施形態に係る架構構造について説明する。なお、本実施形態に係る架構構造１は、住宅等の建物に設けられ、特に、建物の躯体から張り出してベランダ等を取り付ける際に適用される。
【００１６】
図１及び図２に示すように、架構構造１は、建物の基本的躯体となる大梁７と、大梁７に接合され、ベランダ等の床となる複数の床スラブ４を支持する小梁５と、小梁５と大梁７とを補強的に連結する斜材１４と、を備えており、大梁７においては、建物の室内側の床となる複数の床スラブ６を支持している。本実施形態において、床スラブ４は平面視長方形状の板状を呈し、その長手方向を矢印Ｈの方向に一致させた状態で並列に敷設されている。
【００１７】
小梁５は、上下一対のフランジ５ａ，５ｂの中央部分をウェブ５ｃにて連結してなるＨ型鋼により形成されており、断面Ｈ形状である。同様に、大梁７は、上下一対のフランジ７ａ，７ｂの中央部分をウェブ７ｃにて連結してなるＨ型鋼により形成されており、断面Ｈ形状である。小梁５及び大梁７における上端部は上側のフランジ５ａ，７ａに対応し、下端部は下側のフランジ５ｂ，７ｂに対応し、側部はウェブ５ｃ，７ｃに対応している。
【００１８】
小梁５には、床スラブ４を支持するための落とし込み部８が設けられている。落とし込み部８は、断面略Ｌ字状で、床スラブ４を下方から支える受け面８ａを有しており、取付部９を介して小梁５のウェブ５ｃに取り付けられている。
【００１９】
大梁７は、小梁５を片持ち状に支持しており、大梁７のウェブ７ｃには、小梁５の端部５ｘに溶接された接合部１０が取り付けられている。接合部１０は断面略Ｔ字状であり、小梁５のウェブ５ｃに溶接される溶接部１０ｂと、大梁７のウェブ７ｃにボルト留めされる締結部１０ａとを有している。大梁７の上側のフランジ７ａの上端面７ｄは、床スラブ６を受けるための受け面とされている。
【００２０】
小梁５及び大梁７の上側のフランジ５ａ，７ａには、壁受け部１５がボルト等によって取り付けられ、壁受け部１５は、ベランダ側と室内側とを隔てる壁パネル１６を受けている。壁パネル１６は、ベランダ側の床スラブ４と室内側の床スラブ６との間に立設されている。壁受け部１５と各床スラブ４，６との継目、及び、敷設される複数の床スラブ４同士の継目には、モルタル１７が充填されている。
【００２１】
小梁５と大梁７とは、同じ梁せいとされ、それぞれの上側のフランジ５ａ，７ａが同じ高さ位置に揃うように互いに取り付けられている。ベランダ側の床スラブ４を受ける面（落とし込み部８の受け面８ａ）は、室内側の床スラブ６を受ける面（大梁７の上側のフランジ７ａの上端面７ｄ）よりも下方に位置しているので、床スラブ４の上端面４ａは、床スラブ６の上端面６ａよりも下方に位置している。すなわち、床スラブ４と床スラブ６とは、段違いの床とされている。
【００２２】
小梁５に支えられるベランダ側の床スラブ４には、斜材１４が挿入し得る切欠き部４ｆが設けられている。斜材１４は、長尺な薄板であり、小梁５の上側のフランジ５ａと大梁７の上側のフランジ７ａとを連結している。また、斜材１４は、小梁５の長手方向Ｄに対して斜めに配置されており、小梁５と大梁７との間でいわゆる火打ち状にされている。本実施形態においては、小梁５のウェブ５ｃが位置する面を基準面として、この基準面に関して面対称に位置する二つの斜材１４が設けられている。
【００２３】
また、斜材１４は、小梁５及び大梁７のそれぞれの上側のフランジ５ａ，７ａの裏面５ｅ，７ｅ同士を連結している。その結果、小梁５及び大梁７のそれぞれの上側のフランジ５ａ，７ａの上端面５ｄ，７ｄは、斜材１４の存在にかかわらず平坦なまま維持されている。
【００２４】
斜材１４は、小梁５の上側のフランジ５ａにボルト等によって固定される端部１４ａと、大梁７の上側のフランジ７ａにボルト等によって固定される端部１４ｂと、端部１４ａと端部１４ｂとの間に延在する延在部１４ｃと、を有している。斜材１４の端部１４ａは、床スラブ４の切欠き部４ｆに挿入され、床スラブ４と突き当たらないように配置されている。
【００２５】
次に、図３〜図５を用いて、本実施形態に係る架構構造１の作用効果について、説明する。
【００２６】
まず、図３を参照して、小梁５及び大梁７の上端部（上側のフランジ５ａ，７ａ）に斜材１４があることの作用効果について説明する。なお、図３の（ａ）は本実施形態に係る架構構造を示し、図３の（ｂ）は比較例に係る架構構造を示している。図３の（ｂ）に示すように、比較例に係る架構構造１００では、板状のプレート１０１を小梁５及び大梁７の下端部に設けている。この場合、床スラブ４から小梁５に作用する水平荷重Ｆ１により、小梁５の上端部には、倒れ込むような回転力Ｍ１が作用し、この回転力Ｍ１に板状のプレート１０１は有効に対抗することができない。つまり、回転力Ｍ１が直接的に接合部１０にかかってしまい、接合部１０がこの負担に耐え切れなくなると、接合部１０が降伏してしまう（ねじれてしまう）おそれがある。
【００２７】
これに対し、図３の（ａ）に示すように、本実施形態に係る架構構造１では、斜材１４が小梁５及び大梁７の上端部に設けられている。この場合、小梁５の上端部が受ける回転力Ｍ１は、主に斜材１４を通って大梁７に伝達されることとなり、接合部１０での負担を効果的に低減できる。その結果、回転力Ｍ１が接合部１０に与える負荷を抑制することができる。
【００２８】
次に、図４を参照して、斜材１４が、小梁５の長手方向Ｄに対して斜め、つまり火打ち状に配置されていることによる作用効果について説明する。本実施形態に係る架構構造１では、床スラブ４から小梁５に作用する水平荷重Ｆ２により、小梁５の上端部が、水平方向の回転力Ｍ２を受ける場合であっても、斜材１４に引っ張り力Ｆ３が働くことで対抗できる。これにより、小梁５と大梁７との接合部１０における水平方向の剛性を高めることが可能となる。
【００２９】
次に、図５を参照して、小梁５と大梁７とに作用する水平荷重の相対的なずれに対する作用効果について説明する。なお、図５の（ａ）は本実施形態に係る架構構造１を示し、図５の（ｂ）は比較例に係る架構構造１０２を示している。本実施形態に係る架構構造１及び比較例に係る架構構造１０２において、小梁５上の床スラブ４の上端面４ａは、大梁７上の床スラブ６の上端面６ａの下方に位置している。つまり、床スラブ４と床スラブ６とが同一の水平面上で並んでおらず、かつ、接合部１０は、これらよりも更に下方に位置する。このため、建物に水平荷重が働いた場合に床スラブ４から小梁５が受ける水平荷重Ｆ４と、床スラブ６から大梁７が受ける水平荷重Ｆ５とは共に接合部１０を経由して伝達されるものとなるが、床スラブ６に比べて床スラブ４が激しく動くような場合には、小梁５と大梁７との接合部１０には、水平方向に過大な応力Ｆ６が作用する場合がある。
【００３０】
ここで、図５の（ｂ）に示すように、比較例に係る架構構造１０２では、斜材１４を設けていないため、水平荷重Ｆ４，Ｆ５が小梁５及び大梁７間を互いに伝達する際には、主に矢印Ｂで示す経路で接合部１０を通ることになり、接合部１０に作用する応力Ｆ６を過大なものとしてしまうおそれがある。これに対し、図５の（ａ）に示すように、本実施形態に係る架構構造１では、水平荷重Ｆ４，Ｆ５が小梁５及び大梁７間を互いに伝達する際には、主に矢印Ａで示す経路で斜材１４を通ることになる。これにより、水平荷重Ｆ４，Ｆ５が小梁５と大梁７との接合部１０に過度に伝達されることを抑制することができるので、接合部１０に作用する水平方向の応力Ｆ６が過大となることを防ぐことができる。
【００３１】
以上、本実施形態に係る架構構造１によれば、床スラブ４から小梁５に作用する水平荷重により、小梁５の上側のフランジ５ａ（上端部）が回転力を受ける場合であっても、その回転力は主に斜材１４により大梁７に伝達されることとなる。これにより、その回転力が小梁５と大梁７との接合部１０に与える負荷を抑制することができる。特に、斜材１４は、小梁５の長手方向Ｄに対して斜めに配置されているので、小梁５と大梁７との接合部１０における水平方向の剛性を高めることが可能となる。したがって、床スラブ４を支持する小梁５と大梁７との接合部１０を適切に保護し、接合部１０の損傷を抑制できる。
【００３２】
また、斜材１４は、小梁５の上側のフランジ５ａの裏面５ｅと、大梁７の上側のフランジ７ａの裏面７ｅとを連結する薄板状に形成され、小梁５及び大梁７のそれぞれの上側のフランジ５ａ，７ａの裏面５ｅ，７ｅ同士を連結しているので、小梁５及び大梁７のそれぞれの上側のフランジ５ａ，７ａの上端面（表面）５ｄ，７ｄは、平坦なまま維持されている。よって、斜材１４の存在にかかわらず、その上端面（表面）５ｄ，７ｄに他の部材等をそのまま載置することができる。
【００３３】
また、小梁５が支持する床スラブ４の上端面４ａは、大梁７が支持する床スラブ６の上端面６ａよりも下方に位置していることにより、小梁５と大梁７とのそれぞれに作用する水平荷重に相対的なずれが生じる場合であっても、その水平荷重が小梁５と大梁７との接合部１０へ伝達されることを抑制することができるので、その接合部１０に作用する水平方向の応力が過大となることを防ぐことができる。
【００３４】
［第２実施形態］
次に、図６〜図８を参照して、本発明の第２実施形態に係る架構構造について説明する。本実施形態の説明では、上記第１実施形態と異なる点について主に説明する。図６は、第２実施形態に係る架構構造の概略平面図である。図７は、図６のＶＩＩ−ＶＩＩ線に沿った概略断面図である。図８は、第２実施形態に係る斜材の斜視図である。
【００３５】
図６及び図７に示すように、第２実施形態に係る架構構造２は、大梁７に接合され、ベランダ等の床となる複数の床スラブ２１を支持する小梁２２と、小梁２２と大梁７とを補強的に連結する斜材２３と、を備えている。大梁７は、第１実施形態に係る架構構造１と同様に、建物の室内側の床となる複数の床スラブ６を支持している。また、本実施形態においても、床スラブ２１は矢印Ｈの方向に並列に敷設されている。
【００３６】
本実施形態における架構構造２が上記第１の実施形態における架構構造１と異なる点は、小梁２２の梁せいが異なる点、小梁２２に落とし込み部８が設けられていない点、斜材２３の形状が異なる点、及び、ベランダ側の床スラブ２１が小梁２２上に載置されている点である。以下、詳細に説明する。
【００３７】
小梁２２は、上下一対のフランジ２２ａ，２２ｂの中央部分をウェブ２２ｃにて連結してなるＨ型鋼により形成されており、断面Ｈ形状である。小梁２２における上端部は上側のフランジ２２ａに対応し、下端部は下側のフランジ２２ｂに対応し、側部はウェブ２２ｃに対応している。小梁２２の梁せいは、大梁７よりも低く、更に、小梁２２は、上側のフランジ２２ａが大梁７の上側のフランジ７ａよりも下方となるように、大梁７のウェブ７ｃに取り付けられている。小梁２２の上側のフランジ２２ａの上端面２２ｄは、床スラブ２１を受けるための受け面とされている。
【００３８】
大梁７は、小梁２２を片持ち状に支持しており、大梁７のウェブ７ｃには、小梁２２の端部２２ｘに溶接された接合部２４が取り付けられている。接合部２４は断面略Ｔ字状であり、小梁２２のウェブ２２ｃに溶接される溶接部２４ｂと、大梁７のウェブ７ｃにボルト留めされる締結部２４ａとを有している。大梁７の上側のフランジ７ａの上端面７ｄは、床スラブ６を受けるための受け面とされている。また、小梁２２の梁せいが第１実施形態に係る小梁５の梁せいよりも小さい（低い）ため、第１実施形態に係る接合部１０の溶接部１０ｂに比して、接合部２４の溶接部２４ｂの面積は小さくなっている。
【００３９】
壁受け部１５と各床スラブ２１，６との継目、及び、敷設される複数の床スラブ２１同士の継目には、モルタル２５が充填されている。モルタル２５は、小梁２２の上側のフランジ２２ａの上端面２２ｄ上に亘って充填されており、これにより小梁２２と床スラブ２１とが一体となって剛床を形成している。
【００４０】
小梁２２と大梁７とは、異なる梁せいであり、それぞれの上側のフランジ２２ａ，７ａが異なる高さ位置となるように互いに取り付けられている。ベランダ側の床スラブ２１を受ける面（小梁２２の上側のフランジ２２ａの上端面２２ｄ）は、室内側の床スラブ６を受ける面（大梁７の上側のフランジ７ａの上端面７ｄ）よりも下方に位置しているので、床スラブ２１の上端面２１ａは、床スラブ６の上端面６ａよりも下方に位置している。すなわち、床スラブ２１と床スラブ６とは、段違いの床とされている。
【００４１】
小梁２２に支えられるベランダ側の床スラブ２１には、斜材２３が挿入し得る切欠き部２１ｆが設けられている。斜材２３は、薄板状に形成された左右対称な形状の一の部材であり、小梁２２の上側のフランジ２２ａと大梁７の上側のフランジ７ａとを連結している。本実施形態に係る斜材２３は、小梁２２のウェブ２２ｃが位置する平面を基準面と仮定した場合に、この基準面に関して面対称の形状を呈している。
【００４２】
斜材２３（図８参照）は、大梁７に接合される補強板部２７と、補強板部２７と小梁２２との段差を吸収し、小梁２２に接合される当接部２６とを備えている。補強板部２７は、平面視で略Ｖ字状に屈曲した形状の鋼板からなり、屈曲部２７ａを挟んで二方向に沿って延在する一対の傾斜部２７ｂを有する。屈曲部２７ａは、小梁２２のウェブ２２ｃ上に配置され、各傾斜部２７ｂは小梁２２の長手方向Ｄに対して斜めに配置されている。更に、各傾斜部２７ｂの先端部分は、大梁７の上側のフランジ７ａの裏面７ｅに当接され、ボルト等で連結されている。
【００４３】
当接部２６は、補強板部２７の屈曲部２７ａの下面に一体的に形成されている。当接部２６は、小梁２２の上側のフランジ２２ａにボルト等によって固定される座部２６ｂと、座部２６ｂから立ち上がって上端が補強板部２７の下面に溶接された壁状の立上り部２６ａと、立上り部２６ａに直交するように立設されて立上り部２６ａを補強し、上端が補強板部２７の下面に溶接された壁部２６ｃとを備えている。立上り部２６ａは、小梁２２の長手方向Ｄに直交し、壁部２６ｃは長手方向Ｄに沿って配置されている。
【００４４】
上述の通り、斜材２３は、小梁２２の上側のフランジ２２ａと大梁７の上側のフランジ７ａとを連結しており、また、各傾斜部２７ｂを有する補強板部２７を備えることで、小梁２２の長手方向Ｄに対して斜めに配置された態様を具現化している。また、当接部２６は、補強板部２７の小梁２２側の端部である屈曲部２７ａから下方に向けて突出形成された態様を具現化している。更に、当接部２６の立上り部２６ａは、補強板部２７から小梁２２の上側のフランジ２２ａに向けて延在し、座部２６ｂは、立上り部２６ａの下端部から水平状に形成されて小梁２２の上側のフランジ２２ａに当接し、壁部２６ｃは、斜材２３の補強板部２７の屈曲部２７ａ、立上り部２６ａ、及び座部２６ｂを互いに連結する態様を具現化している。
【００４５】
以上、本実施形態においても、第１実施形態同様、床スラブ２１を支持する小梁２２と大梁７との接合部２４を適切に保護し、当該接合部２４の損傷を抑制できる。
【００４６】
また、本実施形態では、小梁２２の梁せいが大梁７よりも小さく、同じ梁せいのときに比して小梁２２と大梁７との接合部２４の剛性が小さくなっている。この場合であっても、小梁２２及び大梁７の上側のフランジ２２ａ，７ａ間が斜材２３で連結されているため、接合部２４における水平方向の剛性を高めることができる。
【００４７】
また、斜材２３の補強板部２７の屈曲部２７ａに形成される当接部２６は、立上り部２６ａと、座部２６ｂと、壁部２６ｃと、を有しており、壁部２６ｃにより斜材２３の端部である屈曲部２７ａ、立上り部２６ａ及び座部２６ｂが互いに連結されて構成されているため、当接部２６の剛性を向上させることができる。
【００４８】
［第３実施形態］
次に、図９及び図１０を参照して、本発明の第３実施形態に係る架構構造について説明する。本実施形態の説明では、上記第２実施形態と異なる点について主に説明する。図９は、第３実施形態に係る架構構造の概略平面図である。図１０は、図９のＸ−Ｘ線に沿った概略断面図である。
【００４９】
図９及び図１０に示すように、第３実施形態に係る架構構造３は、大梁７に接合され、ベランダ等の床となる複数の床スラブ２１を支持する小梁２２と、小梁２２と大梁７とを補強的に連結する斜材２３と、を備えている。大梁７は、第１、第２実施形態に係る架構構造１，２と同様に、建物の室内側の床となる複数の床スラブ６を支持している。
【００５０】
本実施形態における架構構造２が上記第１の実施形態における架構構造１と異なる点は、複数の床スラブ２１がその長手方向を矢印Ｖの方向に一致させた状態で並列に敷設されている点、及び、当該床スラブ２１を支える支梁３０が更に設けられている点である。
【００５１】
支梁３０は、上下一対のフランジ３０ａ，３０ｂの中央部分をウェブ３０ｃにて連結してなるＨ型鋼により形成されており、断面Ｈ形状である。支梁３０における上端部は上側のフランジ３０ａに対応し、下端部は下側のフランジ３０ｂに対応し、側部はウェブ３０ｃに対応している。
【００５２】
小梁２２のウェブ２２ｃには、支梁３０の端部３０ｘに溶接された接合部３１が取り付けられている。接合部３１は断面略Ｔ字状であり、小梁２２のウェブ２２ｃにボルト留めされる締結部３１ａと、支梁３０のウェブ３０ｃに溶接される溶接部３１ｂとを有している。支梁３０の上側のフランジ３０ａの上端面３０ｄは、床スラブ２１を受けるための受け面とされている。
【００５３】
以上、本実施形態においても、第１及び第２実施形態同様、床スラブ２１を支持する小梁２２と大梁７との接合部２４を適切に保護し、接合部２４の損傷を抑制できる。
【００５４】
以上、本発明の好適な実施形態について説明したが、本発明は上記実施形態に限定されるものではなく、各請求項に記載した要旨を変更しない範囲で変形し、又は他のものに適用したものであってもよい。
【００５５】
例えば、第１実施形態においては、小梁５のウェブ５ｃが位置する面を基準面として、この基準面に関して面対称に位置する二つの斜材１４が設けられているが、床スラブ４が例えば出隅部に敷設される場合には、出隅部において火打ち状に一つの斜材１４を設ければよい。
【符号の説明】
【００５６】
１，２，３…架構構造、４，２１…床スラブ（小梁上）、４ａ，２１ａ…上端面、５，２２…小梁、５ａ，２２ａ…小梁の上側のフランジ、５ｂ，２２ｂ…小梁の下側のフランジ、５ｃ，２２ｃ…小梁のウェブ、６…床スラブ（大梁上）、６ａ…上端面、７…大梁、７ａ…大梁の上側のフランジ、７ｂ…大梁の下側のフランジ、７ｃ…大梁のウェブ、１４，２３…斜材、２６…当接部、２６ａ…立上り部、２６ｂ…座部、２６ｃ…壁部。
【図１】
2015059394.tif 000003
【図２】
2015059394.tif 000004
【図３】
2015059394.tif 000005
【図４】
2015059394.tif 000006
【図５】
2015059394.tif 000007
【図６】
2015059394.tif 000008
【図７】
2015059394.tif 000009
【図８】
2015059394.tif 000010
【図９】
2015059394.tif 000011
【図１０】
2015059394.tif 000012